(57)【特許請求の範囲】
【請求項１】
導光板と、
第一ライトと、
第二ライトと、
複数の第一位置決め柱と、
複数の第二位置決め柱と、
圧力がかかると弾性的に収縮する第一弾性部および第二弾性部と、からなるバックライトモジュールであって、
前記導光板は、矩形の偏平薄板形状であって、
前記導光板の４つの側面を、
第一表面と、
前記第一表面に交差する第二表面と、
前記第一表面に対向しかつ前記第二表面に交差する第三表面と、
前記第二表面に対向しかつ前記第一表面に交差する第四表面と、するとき、
前記第一表面上には複数の第一位置決め穴が形成され、
前記第二表面上には複数の第二位置決め穴が形成され、
前記第一ライトは、第一表面に隣接して設けられ、
前記第一ライトは、
第一基板と、
複数の第一ブルーライトダイオードと、
第一量子ドット蛍光灯管と、からなり、
前記第一基板は、前記第一表面に隣接して設けられ、
前記第一ブルーライトダイオードは、前記導光板に隣接する側の前記第一基板の表面に設けられ、
前記第一量子ドット蛍光灯管は、前記第一ブルーライトダイオードと前記第一表面との間に設けられ、
前記第二ライトは前記第二表面に隣接して設けられ、
前記第二ライトは、
第二基板と、
複数の第二ブルーライトダイオードと、
第二量子ドット蛍光灯管と、からなり、
前記第二基板は前記第二表面に隣接して設けられ、
前記第二ブルーライトダイオードは、前記導光板に隣接する側の前記第二基板の表面に設けられ、
前記第二量子ドット蛍光灯管は、前記第二ブルーライトダイオードと前記第二表面との間に設けられ、
前記第一位置決め柱は、前記第一量子ドット蛍光灯管と前記第一表面との間に設けられ、前記第一位置決め柱の一端は前記第一位置決め穴内に収容され、前記第一位置決め柱の他端は前記第一量子ドット蛍光灯管の表面に当接し、前記第一量子ドット蛍光灯管と前記導光板の前記第一表面との間には第一隙間が形成され、
前記第二位置決め柱は、前記第二量子ドット蛍光灯管と前記第二表面との間に設けられ、前記第二位置決め柱の一端は前記第二位置決め穴内に収容され、前記第二位置決め柱の他端は前記第二量子ドット蛍光灯管の表面に当接し、前記第二量子ドット蛍光灯管と導光板の前記第二表面との間には、第二隙間が形成され、
前記第一弾性部は、前記第三表面に配設され、
前記第二弾性部は、前記第四表面に配設されている
ことを特徴とするバックライトモジュール。
【請求項２】
請求項１に記載のバックライトモジュールにおいて、
前記第一位置決め穴は、前記導光板の前記第一表面上に均等に分布され、前記第一位置決め柱は、隣り合う前記第一ブルーライトダイオード同士の間の隙間に対応して設けられる
ことを特徴とするバックライトモジュール。
【請求項３】
請求項１または請求項２に記載のバックライトモジュールにおいて、
前記第二位置決め穴は、前記導光板の前記第二表面上に均等に分布され、前記第二位置決め柱は、隣り合う前記第二ブルーライトダイオード同士の間の隙間に対応して設けられる
ことを特徴とするバックライトモジュール。
【請求項４】
バックライトモジュールを備える表示ディスプレイであって、
前記バックライトモジュールは、
導光板と、
第一ライトと、
第二ライトと、
複数の第一位置決め柱と、
複数の第二位置決め柱と、
圧力がかかると弾性的に収縮する第一弾性部および第二弾性部と、からなるバックライトモジュールであって、
前記導光板は、矩形の偏平薄板形状であって、
前記導光板の４つの側面を、
第一表面と、
前記第一表面に交差する第二表面と、
前記第一表面に対向しかつ前記第二表面に交差する第三表面と、
前記第二表面に対向しかつ前記第一表面に交差する第四表面と、するとき、
前記第一表面上には複数の第一位置決め穴が形成され、
前記第二表面上には複数の第二位置決め穴が形成され、
前記第一ライトは、第一表面に隣接して設けられ、
前記第一ライトは、
第一基板と、
複数の第一ブルーライトダイオードと、
第一量子ドット蛍光灯管と、からなり、
前記第一基板は、前記第一表面に隣接して設けられ、
前記第一ブルーライトダイオードは、前記導光板に隣接する側の前記第一基板の表面に設けられ、
前記第一量子ドット蛍光灯管は、前記第一ブルーライトダイオードと前記第一表面との間に設けられ、
前記第二ライトは前記第二表面に隣接して設けられ、
前記第二ライトは、
第二基板と、
複数の第二ブルーライトダイオードと、
第二量子ドット蛍光灯管と、からなり、
前記第二基板は前記第二表面に隣接して設けられ、
前記第二ブルーライトダイオードは、前記導光板に隣接する側の前記第二基板の表面に設けられ、
前記第二量子ドット蛍光灯管は、前記第二ブルーライトダイオードと前記第二表面との間に設けられ、
前記第一位置決め柱は、前記第一量子ドット蛍光灯管と前記第一表面との間に設けられ、前記第一位置決め柱の一端は前記第一位置決め穴内に収容され、前記第一位置決め柱の他端は前記第一量子ドット蛍光灯管の表面に当接し、前記第一量子ドット蛍光灯管と前記導光板の前記第一表面との間には第一隙間が形成され、
前記第二位置決め柱は、前記第二量子ドット蛍光灯管と前記第二表面との間に設けられ、前記第二位置決め柱の一端は前記第二位置決め穴内に収容され、前記第二位置決め柱の他端は前記第二量子ドット蛍光灯管の表面に当接し、前記第二量子ドット蛍光灯管と導光板の前記第二表面との間には、第二隙間が形成され、
前記第一弾性部は、前記第三表面に配設され、
前記第二弾性部は、前記第四表面に配設されている
ことを特徴とする表示ディスプレイ。
【請求項５】
請求項４に記載の表示ディスプレイにおいて、
前記第一位置決め穴は、前記導光板の前記第一表面上に均等に分布され、前記第一位置決め柱は、隣り合う前記第一ブルーライトダイオード同士の間の隙間に対応して設置けられる
ことを特徴とする表示ディスプレイ。
【請求項６】
請求項４または請求項５に記載の表示ディスプレイにおいて、
前記第二位置決め穴は、前記導光板の前記第二表面上に均等に分布され、前記第二位置決め柱は、隣り合う前記第二ブルーライトダイオード同士の間の隙間に対応して設けられる
ことを特徴とする表示ディスプレイ。
【発明の詳細な説明】
【技術分野】
【０００１】
本発明は、２０１４年１２月２６日に提出した申請番号２０１４１０８３７２０８．９・発明名称「バックライトモジュール及びディスプレイ」の先願優先権を要求し、前記先願の内容は引用で本文中に合併される。
【０００２】
本発明は平面表示分野に関し、特にバックライトモジュールとディスプレイに関する。
【背景技術】
【０００３】
液晶ディスプレイ（ＬＩＱＵＩＤ  ＣＲＹＳＴＡＬ  ＤＩＳＰＬＡＹ，  ＬＣＤ）は、消費電力が低く、体積も小さく、重量が軽い等の特性があるので、大いに消費者の指示を受け、よく目にする種のディスプレイとする。液晶ディスプレイには、通常バックライトモジュールと、表示パネルからなり、前記バックライトモジュールは、前記表示パネルが面光源を提供するのに用いられる。バックライトモジュールは通常導光板と光源からなり、光源は通常導光板の向かい合う両側に設けられ、導光板は光線が提供されるのに用いられ、導光板は、前記光源が発する光線が、面光源に変換するのに用いる。導光板は、前記光源が発する光線が変換され、面光源になるのに用いる。導光板は、熱の影響を受けたり湿気を吸収したりして膨張する際、導光板に圧力がかかり、導光板の向かい合う両側に光源が設けられる。したがって、前記光源は、ぶつかって壊れてしまったり、導光板に圧力がかかって導光板の向かい合う両側に設けられた光源が、導光板を損傷させたりする。
【発明の概要】
【発明が解決しようとする課題】
【０００４】
本発明はバックライトモジュールとディスプレイを提供することを目的とする。
【課題を解決するための手段】
【０００５】
本発明によるバックライトモジュールは、導光板と、第一ライトと、第二ライトと、複数の第一位置決め柱とからなる。前記導光板は交差する第一表面と第二表面からなり、前記第一表面には複数の第一位置決め穴が形成され、前記第一ライトは前記第表面に隣接して設けられ、前記第一ライトは第一基板と、複数の第一ブルーライトダイオードと、第一量子ドット蛍光灯管とからなり、前記第一基板は、前記第一表面に隣接して設けられ、前記第一ブルーライトダイオードは、前記第一基板における前記導光板に隣接する側の表面に設けられ、前記第一量子ドット蛍光灯管は、前記第一ブルーライトダイオードと前記第一表面との間に設けられ、前記第二ライトは、前記第二表面に隣接して設けられ、前記第二ライトは第二基板と、複数の第二ブルーライトダイオードと、第二量子ドット蛍光灯管とからなる。前記第二基板は前記第二表面に隣接して設けられ、前記第二ブルーライトダイオードは、前記第二基板における前記導光板に隣接する側の表面に設けられ、前記第二量子ドット蛍光灯管は、前記第二ブルーライトダイオード管と前記第二表面との間に設けられる。前記第一位置決め柱は、前記第一量子ドット蛍光灯管と、前記第一表面との間に設けられ、前記第一位置決め柱部分は、前記第一位置決め穴内に収容され、前記第一量子ドット蛍光灯管と、前記導光板の第一表面の間には、第一隙間が形成される。
【０００６】
そのうち、前記第一位置決め穴は、前記導光板の前記第一表面上に均等に分布され、前記第一位置決め柱は、第一ブルーライトダイオードの間の隙間に対応して設けられる。
【０００７】
そのうち、前記導光板の前記第二表面上に、複数の第二位置決め穴が形成され、前記バックライトモジュールは、複数の第二位置決め柱からなり、前記第二位置決め柱は、前記第二量子ドット蛍光灯管と前記第二表面との間に設けられる。また、前記第二位置決め柱部分は、前記第二位置決め穴内に収容され、前記第二量子ドット蛍光灯管と前記導光板の第二表面の間に第二隙間が形成される。
【０００８】
そのうち、前記第二位置決め穴は、前記導光板の第二表面上に均等に分布され、前記第二位置決め柱は、前記第二ブルーライトダイオードとの間にある隙間に対応して設けられる。
【０００９】
そのうち、前記バックライトモジュールは、第一弾性部からなり、前記第一弾性部は前記導光板の第三表面に当接する。
【００１０】
前記導光板の前記第一表面上に第一位置決め穴が形成されることにより、第一位置決め柱と前記第一位置決め穴が係合されることにより、前記第一量子ドット蛍光灯管と、前記導光板の第一表面との間に、第一隙間が形成される。したがって、前記導光板が熱の影響を受けたり湿気を吸収したりして膨張する際、前記第一ブルーライトダイオードに圧力がかかるのを防止することができる。したがって、前記第一ブルーライトダイオードは、ぶつかって壊れることがない。さらに、前記第一位置決め穴は、前記導光板の表面に均等に設けられ、前記導光板が熱の影響を受けたり湿気を吸収したりして膨張する際、前記第一位置決め柱と、前記第一表面に均等に形成された第一位置決め穴は係合する。それにより、前記第一位置決め柱は、前記導光板に対応して均等に力をかけるため、前記導光板が、均等に力がかからないことで損傷するのを防止することができる。さらに、前記第一位置決め柱の他端は、前記第一位置決め穴内に収容され、他端は、前記第一量子ドット蛍光灯管に当接する。したがって、確実に前記第一ライトと、前記導光板の第一表面との間の距離を比較的小さくすることができ、したがって、光線が、前記導光板の前記第一表面に入る時の光結合効率を上げ、前記第一ライトが発する光線の感光のリスクを減少させる。さらに、前記第一位置決め柱は、前記第一ブルーライトダイオードとの間にある隙間に対応して設けられ、それにより、第一位置決め柱の光線に対する遮断を減らし、しいては、光線が前記導光板の前記第一表面に入る時の光結合効率を上げることができる。
【００１１】
また、本発明によるディスプレイはバックライトモジュールを備える。前記バックライトモジュールは導光板と、第一ライトと、第二ライトと、複数の第一位置決め柱とからなり、前記導光板は、交差する第一表面と第二表面からなり、前記第一表面上には、複数の第一位置決め穴が形成され、前記第一ライトは、第一表面に隣接して設けられ、前記第一ライトは第一基板と、複数の第一ブルーライトダイオードと、第一量子ドット蛍光灯管とからなり、前記第一基板は、前記第一表面に隣接して設けられ、前記第一ブルーライトダイオードは、前記第一基板における前記導光板に隣接する側の表面に設けられ、前記第一量子ドット蛍光灯管は、前記第一ブルーライトダイオードと第一表面の間に設けられ、前記第二ライトは第二表面に隣接して設けられ、前記第二ライトは第二基板と、複数の第二ブルーライトダイオード管と、第二量子ドット蛍光灯管とからなり、前記第二基板は、前記第二表面に隣接して設けられ、前記第二ブルーライトダイオードは、前記第二基板における前記導光板に隣接する側の表面に設けられる。前記第二量子ドット蛍光灯管は、前記第二ブルーライトダイオード管と、前記第二表面の間に設けられ、前記第一位置決め柱は、前記第一量子ドット蛍光灯管と前記第一表面の間に設けられ、前記第一位置決め柱部分は、前記第一位置決め穴に収容され、前記第一量子ドット蛍光灯管と前記導光板の第一表面の間に第一隙間が形成される。
【００１２】
そのうち、第一位置決め穴は、前記導光板の前記第一表面上に均等に分布され、前記第一位置決め柱は、第一ブルーライトダイオードの間の隙間に対応して設けられる。
【００１３】
そのうち、前記導光板の前記第二表面上には、複数の第二位置決め穴が形成され、前記バックライトモジュールはさらに、複数の第二位置決め柱からなり、前記第二位置決め柱は、前記第二量子ドット蛍光灯管と前記第二表面の間に設けられる。また、前記第二位置決め柱部分は、前記第二位置決め穴内に収容され、前記第二量子ドット蛍光灯管と、前記導光板の第二表面の間には、第二隙間が形成される。
【００１４】
そのうち、前記第二位置決め穴は、前記導光板の第二表面上に均等に分布され、前記第二位置決め柱は、前記第二ブルーライトダイオードの間にある隙間に対応して設けられる。
【００１５】
そのうち、前記バックライトモジュールはさらに、第一弾性部からなり、前記第一弾性部は、前記導光板の第三表面に当接する。
【図面の簡単な説明】
【００１６】
本発明の実施例や従来の技術案をさらに理解するために、以下では、実施例や従来技術の記述に必要な図面について、簡単に説明を行う。当然のことながら、以下の図面は、本発明の一部の実施例に過ぎず、本分野の一般の技術者は、創造性のある労働をせずとも、これらの図面をもとに、その他の図面を考えだすことができる。
【００１７】
【図１】本発明の好ましい実施例のバックライトモジュールの立体分解図を示した概略図である。
【図２】本発明の好ましい実施例のバックライトモジュールの組み立てを示した概略図である。
【図３】本発明の好ましい実施例のディスプレイの構造を示した概略図である。
【発明を実施するための形態】
【００１８】
以下では、図と実施例を用いて、本発明の実施例における技術案について、更に明晰で完全な説明を行う。ただし、当該説明の実施例は、本発明の実施例の一部にすぎず、全ての実施例ではない。本発明の実施例に基づき、本分野の一般的な技術者が創造性のある労働をしないで得られたあらゆるその他の実施例は、全て本発明の保護範囲と見なす。
【００１９】
図１と図２を参照する。図１は、本発明の好ましい実施例のバックライトモジュールの立体分解図を示している。図２は、本発明の好ましい実施例のバックライトモジュールの図を示している。前記バックライトモジュール１００は、導光板１１０と、第一ライト１２０と、第二ライト１３０と、複数の第一位置決め柱１４０からなる。前記導光板１１０は、交差する第一表面１１１及び第二表面１１２からなり、前記第一面１１１には、複数の第一位置決め穴１１５が形成される。前記第一ライト１２０は、前記第一表面１１１に隣接して設けられ、前記第一ライト１２０は、第一基板１２１と、複数の第一ブルーライトダイオード１２２と、第一量子ドット蛍光灯管１２３とからなる。前記第一基板１２１は、前記第一表面１１１に隣接して設けられ、前記第一ブルーライトダイオード１２２は、前記第一基板１２１における前記導光板１１０に隣接する側の表面に設けられ、前記第一量子ドット蛍光灯管１２３は、前記第一ブルーライドダイオード１２２と前記第一表面１１１の間に設けられる。前記第二ライト１３０は、前記第二表面１１２に隣接して設けられ、前記第二ライト１３０は、第二基板１３１と、複数の第二ブルーライトダイオード１３２と、第二量子ドット蛍光灯管１３３とからなる。前記第二基板１３１は、前記第二表面１１２に隣接して設けられ、前記第二ブルーライトダイオード１３２は、前記第二基板１３１における前記導光板１１０が隣接する側の表面に設けられ、前記第二量子ドット蛍光灯管１３３は、前記第二ブルーライドダイオード１３２と前記第二表面１１２の間に設けられる。前記第一位置決め柱１４０は、前記第一量子ドット蛍光灯管１２３と前記第一表面１１１の間に設けられる。さらに前記第一位置決め柱１４０の一部は、前記第一位置決め穴１１５内に収容され、前記第一量子ドット蛍光灯管１２３と、前記導光板１１０の第一表面１１１の間には、第一隙間Ａが形成される。
【００２０】
本実施例において、前記第一位置決め穴１１５は、前記導光板１１０の前記第一表面１１１上に均等に分布され、前記第一位置決め柱１４０は、前記第一ブルーライトダイオード１２２の間にある隙間に対応して設けられるのが好ましい。前記第一位置決め柱１４０の他端は、前記第一位置決め穴１１５内に収容され、前記第一位置決め柱１４０の他端は、前記第一量子ドット蛍光灯管１２３に当接するのが好ましい。本実施例において、前記第一位置決め柱１４０は、透明の材料によって形成される。
【００２１】
前記導光板１１０の前記第一表面１１１には、第一位置決め穴１１５が形成されることにより、さらに第一位置決め柱１４０と前記第一位置決め穴１１５が係合されることにより、前記第一量子ドット蛍光灯管１２３と前記導光板１１０の第一表面１１１との間に、第一隙間Ａが形成される。したがって、前記導光板１１０が熱の影響を受けたり湿気を吸収したりして膨張する際、前記第一ブルーライトダイオード１２２に圧力がかかるのを防止することができる。したがって、前記第一ブルーライトダイオード１２２は、ぶつかって壊れることがない。さらに、前記第一位置決め穴１１５は、前記導光板１１０の第一表面１１１に均等に設けられ、前記導光板１１０が熱の影響を受けたり湿気を吸収したりして膨張する際、前記第一位置決め柱１４０と、前記第一表面１１１に均等に形成された第一位置決め穴１１５は係合する。それにより、前記第一位置決め柱１４０は、前記導光板１１０に対応して均等に力をかけるため、前記導光板１１０が、均等に力がかからないことで損傷するのを防止することができる。さらに、前記第一位置決め柱１４０の他端は、前記第一位置決め穴１１５内に収容され、他端は、前記第一量子ドット蛍光灯管１２３に当接する。したがって、確実に、前記第一ライト１２０と前記導光板１１０の第一表面１１１との間の距離を比較的小さくすることができ、したがって、光線が前記導光板１１０の前記第一表面１１１に入る時の光結合効率を上げ、前記第一ライト１２０が発する光線の感光のリスクを減少させる。さらに、前記第一位置決め柱１４０は、前記第一ブルーライトダイオード１２２との間にある隙間に対応して設けられ、それにより、第一決め柱１４０の光線に対する遮断を減らし、しいては、光線が前記導光板１１０の前記第一表面１１１に入る時の光結合効率を上げることができる。
【００２２】
前記導光板１１０の前記第二表面１１２には、複数の第二位置決め穴１１６が形成される。したがって、前記バックライトモジュール１００はさらに、複数の第二位置決め柱１５０からなり、前記第二位置決め柱１５０は、前記第二量子ドット蛍光灯管１３３と、前記第二表面１１２の間に設けられる。さらに、前記第二位置決め柱１５０一部は、前記第二位置決め穴１１６内に収容され、前記第二量子ドット蛍光灯管１３３と、前記導光板１１０の間にある第二表面１１２の間に、第二隙間Ｂが形成される。前記第二位置決め穴１１６は、前記導光板１１０の第二表面１１２上に均等に分布され、前記第二位置決め柱１５０は、前記第二ブルーライトダイオード１３２の間にある隙間に対応して設けられるのが好ましい。前記第二位置決め柱１５０の他端は、前記第二位置決め柱１５０の他端は、前記第二位置決め穴１１６内に収容され、前記第二位置決め柱１５０の別の他端は、前記第二量子ドット蛍光灯管１３３に当接するのが好ましい。本実施例において、前記第二位置決め柱１５０は、透明の材料によって形成される。
【００２３】
前記導光板１１０の第二表面１１２には、複数の第二位置決め穴１１６が形成されるとともに、第二位置決め柱１５０と前記第二位置決め穴１１６が係合されることにより、前記第二量子ドット蛍光灯管１３３と前記導光板１１０の第二表面１１２の間に、第二隙間Ｂが形成される。したがって、前記導光板１１０が熱の影響を受けたり湿気を吸収したりして膨張する際、前記第二ブルーライトダイオード１３２に圧力がかかるのを防止することができる。したがって、前記第二ブルーライト１３２はぶつかって壊れることがない。さらに、前記第二位置決め穴１１６は、前記導光板１１０の第二表面１１２に均等に設けられ、前記導光板１１０が熱の影響を受けたり湿気を吸収したりして膨張する際、前記第二位置決め柱１５０と前記第二表面１１２に均等に形成された第二位置決め穴１１６は係合する。それにより前記第二位置決め柱１５０は、前記導光板１１０に対応して均等に力をかけるため、前記導光板１１０が、均等に力がかからないことで損傷するのを防止することができる。さらに、前記第二位置決め柱１５０の他端は、前記第二位置決め穴１１６内に収容され、別の他端は、前記第二量子ドット蛍光灯管１３３に当接する。したがって、前記第二ライト１３０と前記導光板１１０の第二表面１１２との間の距離を比較的小さくすることができ、したがって、光線が前記導光板１１０の前記第二表面１１２に入るときの光結合効率を上げ、前記第二ライト１３０が発する光線の感光のリスクを減少させる。さらに、前記第二位置決め柱１５０は、前記第二ブルーライトダイオード１３２との間にある隙間に対応して設けられ，それにより第二位置決め柱１５０の光線に対する遮断を減らし、しいては、光線が前記導光板１１０の前記第二表面１１２に入る時の光結合効率を上げることができる。
【００２４】
前記導光板１１０はさらに、前記第一表面１１１が向かい合う第三表面１１３を備え、前記バックライトモジュール１００は、さらに、第一弾性部１６０を備え、前記第一弾性部１６０は、圧力がかかる際収縮することができ、前記第一弾性部１６０は、前記導光板１１０の第三表面１１３に当接する。本実施例において、前記第一弾性部１６０の材質はゴムとなる。前記導光板１１０は、熱の影響を受けたり湿気を吸収したりして膨張する際、前記第一表面１１１に隣接して設けられる第一決め柱１１５は、前記導光板１１０が、前記第一表面１１１に、前記第一ライト１２０の圧力がかかるのを阻止する。この時、前記導光板１１０は、前記第三表面１１３に前記第一弾性部１６０の圧力がかかる。前記第一弾性部１６０は、圧力がかかる際収縮の弾性を持つので、第一ライト１２０や導光板１１０は、壊れることないように、一定程度保護することができる。
【００２５】
前記導光板１１０はさらに、前記第二表面１１２と向かい合う第四表面１１４を備え、前記バックライトモジュール１００は、さらに、第二弾性部１７０を備え、前記第二弾性部１７０は、圧力がかかる際収縮でき、前記第二弾性部１７０は、前記導光板１１０の前記第四表面１１４に当接する。本実施例において、前記第二弾性部１７０の材料は、ゴムとなる。前記導光板１１０は、熱の影響を受けたり湿気を吸収したりして膨張する際、前記第二表面１１２に隣接して設けられる第二位置決め柱１５０は、前記導光板１１０が前記第二表面１１２に、前記第二ライト１３０の圧力がかかるのを阻止する。この時、前記導光板１１０は、前記第三表面１１３に前記第二弾性部１７０の圧力がかかる。前記第二弾性部１７０は、圧力がかかる際収縮の弾性を持つので、前記導光板１１０は、壊れることないように、一定程度保護することができる。
【００２６】
以下では、結合図１と図２を用いて、本発明のディスプレイの説明を行う。図３を参照する。図３は、本発明の好ましい実施例のディスプレイの構造を示した概略図である。前記ディスプレイ１０は、図１と図２が示すバックライトモジュール１００と表示パネル２００からなり、前記バックライトモジュール１００は、前記表示パネル２００が面光源を提供するのに用いる。
【００２７】
前記バックライトモジュール１００は、導光板１１０と、第一ライト１２０と、第二ライト１３０と、複数の第一位置決め柱１４０とからなる。前記導光板１１０は、交差する第一表面１１１及び第二表面１１２からなり、前記第一表面１１１には複数の第一位置決め穴１１５が形成される。前記第一ライト１２０は、前記第一表面１１１に隣接して設けられ、前記第一ライト１２０は、第一基板１２１と、複数の第一ブルーライトダイオード１２２と、第一量子ドット蛍光灯管１２３とからなる。前記第一基板１２１は、前記第一表面１１１に隣接して設けられ、前記第一ブルーライトダイオード１２２は、前記第一基板１２１における前記導光板１１０に隣接する側の表面に設けられ、前記第一量子ドット蛍光灯管１２３は、前記第一ブルーライトダイオード１２２と、前記第一表面１１１との間に設けられる。前記第二ライト１３０は、前記第二表面１１２に隣接して設けられ、前記第二ライト１３０は、第二基板１３１と、複数の第二ブルーライトダイオード１３２と、第二量子ドット蛍光灯管１３３とからなる。前記第二基板１３１は、前記第二表面１１２に隣接して設けられ、前記第二ブルーライトダイオード１３２は、前記第二基板１３１における前記導光板１１０に隣接する側の表面に設けられ、前記第二量子ドット蛍光灯管１３３は、前記第二ブルーライトダイオード１３２と、前記第二表面１１２との間に設けられる。前記第一位置決め柱１４０は、前記第一量子ドット蛍光灯管１２３と、前記第一表面１１１との間に設けられ、前記第一位置決め柱１４０部分は、前記第一位置決め穴１１５内に収容され、前記第一量子ドット蛍光灯管１２３と、前記導光板１１０の第一表面１１１の間には、第一隙間Ａが形成される。
【００２８】
本実施例において、前記第一位置決め穴１１５は、前記導光板１１０の前記第一表面１１１上に均等に分布され、前記第一位置決め柱１４０は、前記第一ブルーライトダイオード１２２の間にある隙間に対応して設けられるのが好ましい。前記第一位置決め柱１４０の他端は、前記第一位置決め穴１１５内に収容され、前記第一位置決め柱１４０の別の他端は、前記第一量子ドット蛍光灯管１２３に当接するのが好ましい。本実施例において、前記第一位置決め柱１４０は、透明の材料によって形成される。
【００２９】
前記導光板１１０の前記第一表面１１１に、第一位置決め穴１１５が形成されるとともに、第一位置決め柱１４０と前記第一位置決め穴１１５が係合することにより、前記第一量子ドット蛍光灯管１２３と、前記導光板１１０の第一表面１１１との間に第一隙間Ａが形成される。したがって、前記導光板１１０は、熱の影響を受けたり、湿気を吸収したりして膨張する際、前記第一ブルーライトダイオード１２２に圧力がかかるのを阻止することができる。したがって、前記第一ブルーライトダイオード１２２は、ぶつかって壊れることがない。さらに、前記第一位置決め穴１１５は、前記導光板１１０の第一表面１１１に均等に設けられ、前記導光板１１０が熱の影響を受けたり湿気を吸収したりして膨張する際、前記第一位置決め柱１４０と、前記第一表面１１１に均等に形成された第一位置決め穴１１５は係合する。それにより、前記第一位置決め柱１４０は、前記導光板１１０に対応して均等に力をかけるため、前記導光板１１０が、均等に力がかからないことで損傷するのを防止することができる。さらに、前記第一位置決め柱１４０の他端は、前記第一位置決め穴１１５内に収容され、他端は、前記第一量子ドット蛍光灯管１２３に当接する。したがって、確実に前記第一ライト１２０と、前記導光板１１０の第一表面１１１との間の距離を比較的小さくすることができ、したがって、光線が前記導光板１１０の前記第一表面１１１に入る時の光結合効率を上げ、前記第一ライト１２０が発する光線の感光のリスクを減少させる。さらに、前記第一位置決め柱１４０は、前記第一ブルーライトダイオード１２２との間にある隙間に対応して設けられ、それにより、第一位置決め柱１４０の光線に対する遮断を減らし、しいては、光線が前記導光板１１０の前記第一表面１１１に入る時の光結合効率を上げることができる。
【００３０】
前記導光板１１０の前記第二表面１１２には、複数の第二位置決め穴１１６が形成され、それに対応するように、前記バックライトモジュール１００は、さらに、複数の第二位置決め柱１５０を備え、前記第二位置決め柱１５０は、前記第二量子ドット蛍光灯管１３３と、前記第二表面１１２との間に設けられ、前記第二位置決め柱１５０の一部は、前記第二位置決め穴１１６内に収容され、前記第二量子ドット蛍光灯管１３３と、前記導光板１１０との間にある第二表面１１２の間には、第二隙間Ｂが形成される。前記第二位置決め穴１１６は、前記導光板１１０の第二表面１１２上に均等に分布されるのが好ましい。前記第二位置決め柱１５０は、前記第二ブルーライトダイオード１３２との間にある隙間に対応して設けられるのが好ましい。前記第二位置決め柱１５０の一端は、前記第二位置決め穴１１６内に収容され、前記第二位置決め柱１５０の他端は、前記第二量子ドット蛍光灯管１３３に当接するのが好ましい。本実施例により、前記第二位置決め柱１５０は、透明な材料によって形成される。
【００３１】
前記導光板１１０の第二表面１１２には、複数の第二位置決め穴１１６が形成されるとともに、第二位置決め柱１５０と前記第二位置決め穴１１６が係合されることにより、前記第二量子ドット蛍光灯管１３３と、前記導光板１１０の第二表面１１２との間に第二隙間Ｂが形成される。したがって、前記導光板１１０が、熱の影響を受けたり湿気を吸収したりして膨張する際、前記第二ブルーライドダイオード１３２に圧力がかからず、前記第二ブルーライトダイオード１３２は、ぶつかって壊れることがない。さらに、前記第二位置決め穴１１６は、前記導光板１１０の第二表面１１２に均等に設けられ、前記導光板１１０は熱の影響を受けたり湿気を吸収したりして膨張する際、前記第二位置決め柱１５０と、前記第二表面１１２に均等に形成された第二位置決め穴１１６は係合する。それにより、前記第二位置決め柱１５０は、前記導光板１１０に対応して均等に力をかけるため、前記導光板１１０が、均等に力がかからないことで損傷するのを防止することができる。さらに、前記第二位置決め柱１５０の一端は、前記第二位置決め穴１１６内に収容され、他端は、前記第二量子ドット蛍光灯管１３３に当接する。したがって、確実に、前記第二ライト１３０と、前記導光板１１０の第二表面１１２との間の距離を比較的小さくすることができ、したがって、光線が前記導光板１１０の前記第二表面１１２に入る時の光結合効率を上げ、前記第二ライト１３０が発する光線の感光のリスクを減少させる。さらに、前記第二位置決め柱１５０は、前記第二ブルーライトダイオード１３２との間にある隙間に対応して設けられ、それにより、第二位置決め柱１５０の光線に対する遮断を減らし、しいては、光線が前記導光板１１０の前記第二表面１１２に入る時の光結合効率を上げることができる。
【００３２】
前記導光板１１０は、さらに、前記表面１１１と向かい合う第三表面１１３を備え、前記バックライトモジュール１００は、さらに、第一弾性部１６０を備え、前記第一弾性部１６０は、圧力がかかる際収縮することができる。前記第一弾性部１６０は、前記導光板１１０の第三表面１１３に当接する。本実施例において、前記第一弾性部１６０の材質はゴムからなる。前記導光板１１０は、熱の影響を受けたり湿気を吸収したりして膨張する際、前記第一表面１１１に隣接して設けられた第一位置決め柱１１５は、前記導光板１１０が、前記第一表面１１１で前記ライト１２０に圧力をかけるのを防止することができる。この時、前記導光板１１０は、前記第三表面１１３で前記第一弾性部１６０に圧力をかける。前記第一弾性部１６０は、圧力がかかる際に収縮する弾性を持つので、第一ライト１２０や導光板１１０が壊れることないように一定程度保護することができる。
【００３３】
以上の内容は、本発明の好ましい実施例に過ぎず、当然、これにより本発明の権利の範囲を限定するものではない。さらに、本分野の一般的な技術者は、上述の実施例の全部あるいは一部の過程を理解し実現することができ、本発明の請求の範囲に従って行った同じ効果をもつ修正は、本発明の範囲に含まれるものとする。
【符号の説明】
【００３４】
１００  バックライトモジュール
１１０  導光板
１１１  第一表面
１１２  第二表面
１１３  第三表面
１１４  第四表面
１１５  第一位置決め穴
１１６  第二位置決め穴
１２０  第一ライト
１２１  第一基板
１２２  第一ブルーライトダイオード
１２３  第一量子ドット蛍光灯管
１３０  第二ライト
１３１  第二基板
１３２  第二ブルーライトダイオード
１３３  第二量子ドット蛍光灯管
１４０  第一位置決め柱
１５０  第二位置決め柱
１６０  第一弾性部
１７０  第二弾性部
２００  表示パネル
【図１】
0006570013.tif 000002
【図２】
0006570013.tif 000003
【図３】
0006570013.tif 000004